(57)【要約】【課題】防音効果や防振効果の高い壁構造を得つつ、壁を構築する際の作業性を向上させる。【解決手段】間仕切壁１０においては、複数組のスタッド２２ａ，２２ｂがランナ２１ａ，２１ｂの長手方向に沿って並ぶように配置されており、スタッド２２ａ，２２ｂを挟んで一対の下地材１６ａ，１６ｂが配置されている。一組のスタッド２２ａ，２２ｂは、スタッド溝の開放側が互いに向かい合っており、隣り合う各組のスタッド２２ａ，２２ｂは、それらスタッド２２ａ，２２ｂ同士が背中合わせになるように配列されている。背中合わせのスタッド２２ａ，２２ｂにおいては、それぞれ２つのフランジのうち一方が下地材１６に固定されるのに対し、他方が下地材１６に固定されずその下地材１６との間に隙間が形成されている。【選択図】図１
2010101052.tif 000002
【特許請求の範囲】
【請求項１】
対向する２つの長尺材を一組の長尺材とし、その一組の長尺材に両端が保持された状態で両長尺材の間に断熱材が設けられるとともに、複数組の長尺材が、長尺材の一部を突き合わせて並ぶように設けられ、それら各長尺材を挟んで両側に一対の壁面材が取り付けられる建物の壁構造であり、
隣り合う各組の長尺材で一部を突き合わせている２つの長尺材が、互いに離間して設けられるとともに前記一対の壁面材に対してそれぞれ異なる壁面材に固定され、該２つの長尺材において固定側とは反対側の壁面材とは離間されていることを特徴とする建物の壁構造。
【請求項２】
前記一組の長尺材が、それぞれ異なる壁面材に固定されていることを特徴とする請求項１に記載の建物の壁構造。
【請求項３】
前記一組の長尺材が、それぞれ同一の壁面材に固定されていることを特徴とする請求項１に記載の建物の壁構造。
【請求項４】
前記断熱材を挟む一組の長尺材とそれから離間して設けられる一方の壁面材との隙間と、隣り合う各組長尺材の間の隙間とを通じて、断熱性及び遮音性の少なくともいずれかを有するシート材が設けられていることを特徴とする請求項３に記載の建物の壁構造。
【請求項５】
隣り合う各組長尺材の間に、断熱性及び遮音性の少なくともいずれかを有する隙間埋め部材が設けられていることを特徴とする請求項１乃至４のいずれか１項に記載の建物の壁構造。
【発明の詳細な説明】
【技術分野】
【０００１】
本発明は、建物の壁構造に関するものである。
【背景技術】
【０００２】
枠組壁工法により構築される住宅等の建物として、骨格となる構造体に鋼材が用いられたスチールハウスがある。スチールハウスは壁体を有しており、その壁は、フレームと、そのフレームの表裏両側にそれぞれ取り付けられた石膏ボードと、各石膏ボードの間に配置された断熱材とを含んで構成されている。
【０００３】
このような壁構造としては、例えば特許文献１に、フレームが横材としてのランナとそのランナの長手方向に沿って千鳥状に配置されているスタッドとを有し、断熱材がスタッドと壁面材との間を蛇行するように配置された間仕切壁の構成が開示されている。この構成では、対向する壁面材のうち一方の壁面材は、この壁面材寄りに配置されているスタッドにビス止めされており、他方の壁面材は、この壁面材寄りに配置されているスタッドにビス止めされている。この場合、これらスタッドは対向する壁面材のいずれか一方だけと当接しているため、スタッドが他方の壁面材に音を直接伝えてしまうことが回避される。つまり、間仕切壁の遮音性能が高められている。
【特許文献１】特開２００４−０８４２２１号公報
【発明の開示】
【発明が解決しようとする課題】
【０００４】
しかしながら、上記特許文献１に記載されている構成では、蛇行するように配置された断熱材の両側端が固定されていないため、フレームに断熱材を取り付けた状態で壁面材をスタッドに取り付ける作業を行う際、その断熱材の側端をスタッドと壁面材との間に挟み込みやすい。そこで、断熱材を手で押さえつつ壁面材の取り付け作業を行うことも考えられるが、これでは作業の困難性が高くなってしまう。したがって、遮音性能が高められた壁を得る構成に関して改善の余地がある。
【０００５】
また、上記特許文献１に記載されている構成では、間仕切壁において、対向する壁面材の両方に当接しているスタッドも設けられているため、そのスタッドを介して前記対向する壁面材の間で音が直接的に伝わってしまう。したがって、遮音性能を高める構成自体についても改善の余地がある。
【０００６】
本発明は、防音効果や防振効果の高い壁構造を得つつ、壁を構築する際の作業性を向上させることを主たる目的とする。
【課題を解決するための手段】
【０００７】
上記課題を解決するために、第１の発明は、対向する２つの長尺材を一組の長尺材とし、その一組の長尺材に両端が保持された状態で両長尺材の間に断熱材が設けられるとともに、複数組の長尺材が、長尺材の一部を突き合わせて並ぶように設けられ、それら各長尺材を挟んで両側に一対の壁面材が取り付けられる建物の壁構造であり、隣り合う各組の長尺材で一部を突き合わせている２つの長尺材が、互いに離間して設けられるとともに前記一対の壁面材に対してそれぞれ異なる壁面材に固定され、該２つの長尺材において固定側とは反対側の壁面材とは離間されていることを特徴とする。
【０００８】
第１の発明によれば、各長尺材は一対の壁面材のいずれかと離間しているため、一方の壁面材に音や振動が加えられても、その音や振動は１つの長尺材を介して他方の壁面材へ直接的に伝わることがない。また、隣り合う各組の長尺材で一部を突き合わせている２つの長尺材は互いに離間しているため、長尺材同士の間で音や振動が直接的に伝わることもない。この場合、音や振動は一方の壁面材から１つの長尺材へは伝わるが、その長尺材から他の長尺材へは伝わらず、他方の壁面材にも伝わらない。したがって、本壁構造は、反対側の壁面にその音や振動が伝わることに対して抑止力を発揮できる。ちなみに、壁構造においては、各組で隣り合う長尺材が互いに近接して配置されていることで断熱材同士の隙間が小さくなっており、これにより、壁構造の全体に断熱性が付与されている。
【０００９】
断熱材の両端が一組の長尺材によりそれぞれ保持されているため、例えば壁面材を長尺材に取り付ける前であっても、断熱材は好適に位置保持されることになる。したがって、壁を構築する際の作業負担を低減させることができる。しかも、断熱材はその端部が保持されているため、一組の長尺材に対して断熱材を取り付けてから長尺材に壁面材を取り付ける場合、手で断熱材を押さえていなくても、断熱材の端部を長尺材と壁面材との間に挟み込むことなく壁面材の取り付け作業を行うことができる。したがって、その取り付け作業の作業性を向上させることができる。
【００１０】
以上の結果、防音効果や防振効果の高い壁構造を得ることができ、しかも壁を構築する際の作業性を向上させることができる。
【００１１】
なお、「隣り合う各組の長尺材で一部を突き合わせている２つの長尺材」は、一方の壁面材での振動発生時にもそれら２つの長尺材が互いに接触しない程度の間隔を隔てて極力近づけて配置されているとよい。この場合、断熱材が途切れる部分を最小とすることができる。つまり、前記２つの長尺材の間に断熱材が配置されていなくても、壁内のほぼ全体に断熱材が配置されていることになる。したがって、防音効果や防振効果が高く、しかも断熱性が高い壁構造を構築することができる。ちなみに、「隣り合う各組の長尺材で一部を突き合わせている２つの長尺材」は、それぞれの断熱材支持側が反対を向くように背中合わせに配置されていることが好ましい。
【００１２】
第２の発明では、前記一組の長尺材が、それぞれ異なる壁面材に固定されている。
【００１３】
第２の発明によれば、一対の壁面材の間に並んでいる複数の長尺材は、１つずつ交互にいずれかの壁面材側に片寄っている。つまり、千鳥状に配置されている。この場合、一方の壁面材に当接する長尺材の配置間隔を均等にすることが可能となる。これは、他方の壁面材についても同様となる。したがって、壁面材と長尺材との当接部分をビス等の固定手段により固定すれば、壁面材の支持間隔を均等にすることができる。この結果、防音効果や防振効果の高い壁構造において、壁面材を長尺材により好適に支持することができる。
【００１４】
第３の発明では、前記一組の長尺材が、それぞれ同一の壁面材に固定されている。
【００１５】
第３の発明によれば、一対の壁面材の間に並んでいる複数の長尺材は、一組の長尺材ごとに交互にいずれかの壁面材側に片寄っている。つまり、一組の長尺材ごとに千鳥状に配置されている。この場合、一組の長尺材とそれら長尺材が離間している方の壁面材との間の隙間は、断熱材により仕切られることなく連続的に形成されていることになる。したがって、例えばシート状の遮音材や断熱材を、一組の長尺材と壁面材との間から、隣り合う各組の長尺材の間まで、連続して配置することが可能となる。つまり、シート材を壁全体に配置することが可能となる。この結果、壁構造の防音効果や断熱効果をより一層高めることができる。
【００１６】
第４の発明では、前記断熱材を挟む一組の長尺材とそれから離間して設けられる一方の壁面材との隙間と、隣り合う各組長尺材の間の隙間とを通じて、断熱性及び遮音性の少なくともいずれかを有するシート材が設けられている。
【００１７】
第４の発明によれば、一対の壁面材の間において、その壁面に沿って延びるようにシート材が配置されているため、シート材が遮音性を有していれば、一方の壁面材のどの部分に音が加えられても、壁面材と長尺材との隙間や長尺材同士の隙間、一対の壁面材の間の空間などを介して間接的に伝わる音が遮音材により遮断される。したがって、壁内において直接的な音の伝達に加えて間接的な音の伝達に対しても抑止力を発揮できる。この結果、壁構造の防音効果をより一層高めることができる。また、シート材が断熱性を有していれば、壁全体に連続的に断熱性が付与されていることになるため、壁構造の断熱効果をより一層高めることができる。
【００１８】
第５の発明では、隣り合う各組長尺材の間に、断熱性及び遮音性の少なくともいずれかを有する隙間埋め部材が設けられている。
【００１９】
第５の発明によれば、隣り合う各組長尺材の間に隙間埋め部材が配置されているため、その隙間埋め部材が遮音性を有していれば、一方の壁面材に音が加えられた場合に、長尺材同士の隙間を介して間接的に伝わる音が遮音材により遮断される。したがって、壁内において直接的な音の伝達に加えて間接的な音の伝達に対しても抑止力を発揮できる。この結果、壁構造の防音効果をより一層高めることができる。また、隙間埋め部材が断熱性を有していれば、隣り合う各組長尺材の間にも断熱性が付与されていることになるため、壁構造の断熱効果をより一層高めることができる。
【発明を実施するための最良の形態】
【００２０】
以下、本発明を具体化した一実施形態について図面を参照しつつ説明する。本実施形態では、住宅等の建物として枠組壁工法により構築されたスチールハウスにおいて、構造体として屋内空間を仕切る間仕切壁について具体化している。図１は、間仕切壁１０の構成を示す図であり、図１において、（ａ）は間仕切壁１０の一部破断正面図を示し、（ｂ）は間仕切壁１０の縦断面図を示す。図２は、図１（ｂ）のＡ−Ａ線断面図である。なお、図示を簡略化するため、図１では、図２に図示されている遮音材４１の図示を省略している。
【００２１】
図１に示すように、間仕切壁１０は、その間仕切壁１０の骨格を形成する下地フレーム１５と、壁面の下地を形成する下地材１６とを含んで構成されている。下地材１６は、壁面材として石膏ボード等により形成されており、固定手段としてのビス１７により下地フレーム１５に固定されている。下地材１６は、下地フレーム１５を挟んで両側に配置されており、下地フレーム１５を挟んで対向している各下地材１６を一対の下地材１６ａ，１６ｂとしている。
【００２２】
なお、図示は省略するが、下地材１６ａ，１６ｂには壁紙等の仕上材がそれぞれ取り付けられており、その仕上材により間仕切壁１０の仕上面が壁面として形成されている。また、図１，図２においては、２枚重ねられた石膏ボードを下地材１６として図示しているが、１枚の石膏ボードを下地材１６としてもよい。
【００２３】
下地フレーム１５は、軽量鉄骨材により形成されたスチール製の枠体となっている。下地フレーム１５は、横材としてのランナ２１と、縦材としてのスタッド２２とを有している。
【００２４】
ランナ２１としては、下地フレーム１５の上辺を形成する上枠ランナ２１ａと、下辺を形成する下枠ランナ２１ｂとがあり、それらランナ２１ａ，２１ｂは軽溝形鋼により形成されており、横断面が略コ字状となっている長尺状の部材である。上枠ランナ２１ａと下枠ランナ２１ｂとは、それぞれのランナ溝２５の開放側が対向しており、上枠ランナ２１ａは、ランナ溝２５の開放側を下方に向けて、下枠ランナ２１ｂは、ランナ溝２５の開放側を上方に向けてそれぞれ配置されている。なお、ランナ２１において、ランナ幅Ｗ１（図３（ａ）参照）は例えば１００ｍｍとなっている。
【００２５】
長尺材としてのスタッド２２は、上枠ランナ２１ａと下枠ランナ２１ｂとの間に所定間隔にて複数設けられている。スタッド２２は、その上端及び下端がランナ溝２５にそれぞれ入り込んだ状態で上枠ランナ２１ａ及び下枠ランナ２１ｂとビスやリベット、ボルト等の固定手段により固定されている。なお、スタッド２２は、ランナ２１ａ，２１ｂに対して溶接等により接合されていてもよい。
【００２６】
図２に示すように、スタッド２２は、リップ溝形鋼により形成されており、横断面が略Ｃ字状になっている長尺状の部材である。より詳しくは、スタッド２２は、ウェブ３１と、ウェブ３１の両端にそれぞれ設けられているフランジ３２と、各フランジ３２の先端部に設けられたリップ３３とを有しており、リップ３３の間にスタッド溝３４が形成されている。なお、スタッド２２において、スタッド幅Ｗ２（図３（ａ）参照）はランナ幅Ｗ１より小さくなっており、例えば８９ｍｍとされている。
【００２７】
スタッド２２は、スタッド溝３４の開放側が互いに向かい合うようにして設置される２つのスタッド２２ａ，２２ｂを一組として、複数組のスタッド２２ａ，２２ｂがランナ２１ａ，２１ｂの長手方向に沿って一列に並ぶように設けられている。この場合、スタッド２２ａは図の右方に開放されるとともに、スタッド２２ｂは図の左方に開放されており、それら開放方向が異なるスタッド２２ａ，２２ｂが交互に配設されている。一組のスタッド２２ａ，２２ｂは、各々が異なる下地材１６に固定されている。つまり、スタッド２２ａ，２２ｂはそれぞれ、２つのフランジ３２のうち一方が下地材１６に固定されるのに対し、他方が下地材１６に固定されずその下地材１６との間に隙間が形成される構成となっている。
【００２８】
図示の構成では、図の右方に開放されたスタッド２２ａは、図の上側の下地材１６ａに固定され、図の下側の下地材１６ｂには固定されておらずその下地材１６ｂから離間している。図の右方に開放されたスタッド２２ａについては、図の上側の下地材１６ａが固定側となっている。これに対して、図の左方に開放されたスタッド２２ｂは、図の下側の下地材１６ｂに固定され、図の上側の下地材１６ａには固定されておらずその下地材１６ａから離間している。図の左方に開放されたスタッド２２ｂについては、図の下側の下地材１６ｂが固定側となっている。なお、スタッド２２ａ，２２ｂと下地材１６ａ，１６ｂとの離間距離は例えば１０ｍｍ程度であり、その分だけスタッド２２ａとスタッド２２ｂとが間仕切壁１０の厚み方向にずれていることになる。
【００２９】
一対の下地材１６ａ，１６ｂの間であり、且つ一組のスタッド２２ａ，２２ｂの間には断熱材３８が配置されている。断熱材３８は、ウレタンフォームやグラスウール等により板状に形成されており、柔軟性を有している。断熱材３８は、その板面が下地材１６ａ，１６ｂの板面に沿って延びており、その両側端が一組のスタッド２２ａ，２２ｂのスタッド溝３４にそれぞれ入り込んで保持されている。断熱材３８の両側端においては、それぞれ異なる側の板面にスタッド２２のリップ３３が当接している。
【００３０】
図示の構成では、断熱材３８における下地材１６ｂ側の板面にスタッド２２ａのリップ３３が当接しており、下地材１６ａ側の板面にスタッド２２ｂのリップ３３が当接している。この場合、断熱材３８は、スタッド２２ａにより下地材１６ｂ側への移動が規制され、スタッド２２ｂにより下地材１６ａ側への移動が規制されている。換言すれば、断熱材３８は、一組のスタッド２２ａ，２２ｂの各リップ３３によりそれぞれ逆方向から押さえつけられている。したがって、向かい合うスタッド２２ａ，２２ｂによる断熱材３８の固定作用が期待できる。
【００３１】
なお、図では断熱材３８の厚みがスタッド２２ａ，２２ｂにおけるリップ３３同士の離間距離より小さくなっているが、リップ３３同士の離間距離と同等又はそれより大きくてもよい。断熱材３８は柔軟性を有しているため、この場合でも、断熱材３８の両側端をスタッド２２ａ，２２ｂのスタッド溝３４にそれぞれ入れ込むことができる。
【００３２】
また、隣り合う各組のスタッド２２ａ，２２ｂは、それらスタッド２２ａ，２２ｂ同士が背中合わせになるようにして配列されている。つまり、スタッド２２ａ，２２ｂ同士がそれぞれのウェブ３１を突き合わせて配列されている。この場合、背中合わせになるスタッド２２ａ，２２ｂは、各々のウェブ３１が所定の隙間を隔てて離間し、かつ各々異なる下地材１６に固定されている。ウェブ３１間の隙間は例えば１０ｍｍ程度である。
【００３３】
上記のごとく複数組のスタッド２２ａ，２２ｂが設けられることにより、ランナ２１ａ，２１ｂの長手方向に並ぶスタッド２２ａ，２２ｂは、１つずつ交互にいずれかの下地材１６側に片寄って、すなわち千鳥状に設けられることとなる。
【００３４】
各スタッドには、それを挟む一対の下地材１６ａ，１６ｂのうち近接する下地材１６がビス等により固定されている。上記のごとく千鳥状にスタッド２２ａ，２２ｂが設置される構成では、１つ置きのスタッド２２がそれぞれ片側の下地材１６に固定されるようになっている。この場合、互いに溝部が向かい合う一組のスタッド２２ａ，２２ｂのうち、各組においてランナ長手方向で同じ側にあるスタッド（２２ａ及び２２ｂのいずれか）は同じ間隔で設けられることとなり、下地材１６においてビス１７による固定間隔が均等になる。図では、ビス１７による固定間隔がいずれもＬになっており、例えばＬ＝５００ｍｍである。
【００３５】
スタッド２２ａ，２２ｂ及び下地材１６ａ，１６ｂの間の隙間と、背中合わせとなるスタッド２２ａ，２２ｂ間の隙間とには遮音材４１が設けられている。遮音材４１は、遮音性や吸音性を有しているとともに、柔軟性を有している。遮音材４１は、スタッド２２ａ，２２ｂにおけるスタッド溝３４の開放側には配置されておらず、断熱材３８と接触しないようになっている。
【００３６】
次に、間仕切壁１０の壁構造が有する防音効果や防振効果について説明する。
【００３７】
間仕切壁１０において、一対の下地材１６ａ，１６ｂのうち一方の下地材１６に対して音や振動が加えられた場合、その下地材１６に当接している方のスタッド２２には当接部分を介して音や振動が直接的に伝わるが、そのスタッド２２から離間している方の下地材１６には音や振動が直接的に伝わることがない。また、一方の下地材１６とその下地材１６から離間している方のスタッド２２との間や、離間して隣り合う下地材１６同士の間では、音や振動が直接的に伝わることがない。したがって、一方の下地材１６に対して音や振動が加えられても、他方の下地材１６にその音や振動が直接的に伝わることはない。
【００３８】
しかも、一方の下地材１６とスタッド２２との間や、背中合わせとなるスタッド２２の間では、隙間を介して伝わる音が遮音材４１により遮られる。したがって、一方の下地材１６に対して音や振動が加えられた場合、他方の下地材１６にその音や振動が間接的に伝わることが抑制される。
【００３９】
続いて、間仕切壁１０を構築する手順について、図３を参照しつつ説明する。
【００４０】
スチールハウスの間仕切壁１０を構築する場合、まず、工場において下地フレーム１５の組み立て作業を行う。この作業では、ランナ２１ａ，２１ｂに対してスタッド２２ａ，２２ｂを取り付け固定し、図３（ａ）に示すような下地フレーム１５を製作する。この場合、ランナ幅Ｗ１＞スタッド幅Ｗ２であるランナ２１ａ，２１ｂ及びスタッド２２ａ，２２ｂを使用し、開放部が向き合う各組のスタッド２２ａ，２２ｂを、各ランナ２１ａ，２１ｂの両フランジ５１のうち一方に接合し且つ他方からは離間するようにして各々固定する。
【００４１】
そして、図３（ｂ）に示すように下地フレーム１５に遮音材４１を取り付け固定する。この場合、遮音材４１を、背中合わせとなる２つのスタッド２２ａ，２２ｂに各々２つずつ、スタッド長手方向（すなわち上下方向）に沿って取り付ける。より具体的には、遮音材４１を、接着剤や両面テープ等の接合手段を使って、各スタッド２２ａ，２２ｂの外側面に略Ｌ字状をなすようにして取り付ける。遮音材４１の取り付け作業を工場にて行うことにより、建築現場における作業の低減を図ることができる。遮音材４１の取り付け作業終了後、下地フレーム１５を工場からスチールハウスの建築現場へ運搬する。
【００４２】
建築現場では、まず、下地フレーム１５の設置作業を行う。この作業では、下地フレーム１５を立てるとともに木土台や床下地材などに対して固定する。その後、下地フレーム１５に下地材１６ａ，１６ｂのうち一方を取り付ける作業を行う。ここでは、図３（ｃ）に示すように、下地フレーム１５の片側に下地材１６ａを当接させ、ビス１７を螺着させることで下地材１６ａを下地フレーム１５に固定する。
【００４３】
そして、下地フレーム１５に断熱材３８を取り付ける作業を行う。この作業では、図３（ｄ）に示すように、断熱材３８の両側端をスタッド２２ａ，２２ｂのスタッド溝３４にそれぞれ入れ込み、向かい合うスタッド２２ａ，２２ｂの間に断熱材３８を立設させる。これにより、この結果、断熱材３８が厚み方向に撓むことが規制され、たとえ少々撓みが発生したとしても断熱材３８の側端が各スタッド２２ａ，２２ｂのスタッド溝３４から離脱することが規制される。したがって、ビス等を用いて断熱材３８を下地材１６ａに固定しなくても、向かい合うスタッド２２ａ，２２ｂの間にて断熱材３８を保持できる。
【００４４】
断熱材３８の取り付け作業後、下地フレーム１５に下地材１６ａ，１６ｂのうち残る方を取り付ける作業を行う。ここでは、図３（ｅ）に示すように、下地フレーム１５の残り側に下地材１６ｂを当接させ、ビス１７を螺着させることで下地材１６ｂを下地フレーム１５に固定する。この場合、スタッド２２ａ，２２ｂにより断熱材３８が支持されているため、断熱材３８を手で押さえていなくてもその断熱材３８が下地材１６ｂの取り付け側に倒れない。また、下地材１６ｂを下地フレーム１５と当接させる際、断熱材３８を手で向かい合うスタッド２２ａ，２２ｂの間に押し込まなくても、断熱材３８の側端をフレーム１５と下地材１６ｂとの間に挟んでしまうことが回避される。したがって、下地材１６ｂの取り付け作業の作業性を向上させることができる。
【００４５】
なお、断熱材３８は下地フレーム１５のいずれ側にも倒れないように保持されているため、一対の下地材１６ａ，１６ｂをどちらから先に取り付けるかの順番に関係なく作業性向上の効果を得ることができる。また、下地材１６ａ，１６ｂのうち既に取り付けられている方に対して断熱材３８をビスやボルト等により固定する場合でも、手で断熱材３８を押さえておく必要がないため、作業の容易化を図ることができる。
【００４６】
以上詳述した本実施形態によれば、以下の優れた効果が得られる。
【００４７】
ランナ２１ａ，２１ｂの間に複数設けられたスタッド２２ａ，２２ｂは、背中合わせとなるスタッド２２ａ，２２ｂが互いに近接し且つ離間しているとともに、一対の下地材１６ａ，１６ｂのうち離間している方が１つずつ交互になっているため、一方の下地材１６に音や振動が加えられても、その音や振動がスタッド２２ａ，２２ｂを介して他方の下地材１６へ直接的に伝わることはない。したがって、間仕切壁１０は、反対側の壁面にその音や振動が伝わることに対して抑止力を発揮できる。
【００４８】
断熱材３８の両側端が、一組のスタッド２２ａ，２２ｂのスタッド溝３４によりそれぞれ保持されているため、ビス等を用いなくても断熱材３８をスタッド２２ａ，２２ｂに取り付けることができる。加えて、間仕切壁１０を構築する場合に、断熱材３８が下地材１６ａ，１６ｂを下地フレーム１５に取り付ける作業の支障となることを回避できる。つまり、下地材取り付け作業の作業性を向上させることができる。
【００４９】
以上の結果、間仕切壁１０において、防音効果や防振効果の高い壁構造を得つつ、構築時の作業性を向上させることができる。
【００５０】
一対の下地材１６ａ，１６ｂのいずれにおいてもビス１７による固定間隔が均等になっている。この場合、固定間隔が広過ぎたり狭過ぎたりすることなく、下地材１６ａ，１６ｂの全体がほぼ均等に下地フレーム１５により支持されていることになる。つまり、下地材１６ａ，１６ｂの支持状態が好適となっている。
【００５１】
間仕切壁１０を構築する場合、遮音材４１を下地フレーム１５に取り付ける作業が工場にて行われるため、建築現場における施工作業の低減を図ることができる。つまり、スチールハウスの構築に際して、建築現場の作業を容易化することができる。
【００５２】
一対の下地材１６ａ，１６ｂの間に断熱材３８が設けられているため、間仕切壁１０においては反対側の壁面に熱が伝わりにくい。ここで、背中合わせのスタッド２２ａ，２２ｂの間には断熱材３８が設けられていないが、それらスタッド２２ａ，２２ｂの間の隙間は小さいため、間仕切壁１０の全体に断熱効果が付与されていることになる。したがって、防音効果や防振効果の高い壁構造に断熱効果をも付与することができる。
【００５３】
（他の実施形態）
本発明は上記実施形態の記載内容に限定されず、例えば次のように実施してもよい。
【００５４】
（１）上記実施形態では、断熱材３８を挟んで向かい合う一組のスタッド２２ａ，２２ｂがそれぞれ異なる下地材１６ａ，１６ｂに固定される構成としたが、これを変更する。すなわち、図４に示すように、断熱材３８を挟んで向かい合う一組のスタッド２２ａ，２２ｂをそれぞれ同一の下地材１６ａ，１６ｂに固定する。そして、隣り合う各組ごとのスタッド２２ａ，２２ｂを、それぞれ異なる下地材１６ａ，１６ｂに交互に固定する。図４では、Ａ１部のスタッド２２ａ，２２ｂとＡ２部のスタッド２２ａ，２２ｂとが、それぞれ異なる下地材１６ａ，１６ｂに固定されている。
【００５５】
背中合わせとなるスタッド２２ａ，２２ｂについては、図２の構成と同様に、互いに異なる下地材１６ａ，１６ｂに固定されるとともに、各々のウェブ３１が所定の隙間を隔てて離間されている。そして、その背中合わせのスタッド２２ａ，２２ｂ間の隙間を用いて遮音材４１が配設されている。特に本実施形態では、各組ごとにスタッド２２ａ，２２ｂがいずれかの下地材１６に片寄って固定されていることもあり、シート状の遮音材４１がランナの長手方向に沿って連続して設けられている。
【００５６】
図２の構成と比較すると、図２の構成では、断熱材３８を挟んで向かい合う一組のスタッド２２ａ，２２ｂがそれぞれ異なる下地材１６ａ，１６ｂに固定されるため、各スタッド２２ａ，２２ｂと下地材１６ａ，１６ｂとの間の各隙間が断熱材３８を挟んで２方に分かれ、遮音材４１を連続して設けることができなかったが、図４の構成では、断熱材３８を挟んで向かい合う一組のスタッド２２ａ，２２ｂがそれぞれ同一の下地材１６ａ，１６ｂに固定されるため、遮音材４１を連続して設けることができるようになっている。
【００５７】
図４の構成によれば、図２の構成と同様に、一対の下地材１６ａ，１６ｂのうち一方から他方へスタッド２２ａ，２２ｂを介して直接的に音や振動が伝わることはない。しかも、一組のスタッド２２ａ，２２ｂと一方の下地材１６との間の隙間や、背中合わせのスタッド２２ａ，２２ｂの間の隙間だけでなく、一対の下地材１６ａ，１６ｂの間の空間、断熱材３８を介して間接的に伝わる音が遮音材４１により遮断される。したがって、間仕切壁１０の防音効果をより一層高めることができる。
【００５８】
間仕切壁１０を構築する手順については、上記実施形態と同様に、工場において下地フレーム１５の組み立て作業を行うとともに、建築現場において下地フレーム１５の設置作業及び断熱材３８及び下地材１６ａ，１６ｂの取り付け作業を行う。ただし、遮音材４１を下地フレーム１５に取り付ける作業は、工場ではなく建築現場にて断熱材３８の取り付け作業に合わせて行う。
【００５９】
具体的には、建築現場において設置済みの下地フレーム１５に例えば一方の下地材１６ａが取り付けられている状態で、全スタッドのうち、下地材１６ａ寄りの各組のスタッド２２ａ，２２ｂ（図のＡ１）に断熱材３８を組み付け、その後、その断熱材組み付け後の各組のスタッド２２ａ，２２ｂ（図のＡ１）の手前側（下地材１６ａとは逆側）と断熱材組み付け前の各組のスタッド２２ａ，２２ｂ（図のＡ２）の奥側（下地材１６ａ側）とを通すようにして蛇行させつつ遮音材４１を設置する。その後、下地フレーム１５の手前側、すなわち下地材１６ａとは逆側に下地材１６ｂを取り付ける。これにより、断熱材３８及び遮音材４１の取り付け作業が煩雑になることを回避できる。ちなみに、遮音材４１の取り付け作業を建築現場にて行うことは、運搬時におけるシート状の遮音材４１の損傷を回避する観点から見ても好適である。
【００６０】
なお、間仕切壁１０の構築手順としては、工場において、例えばＡ１部のスタッド２２ａ，２２ｂに対して一方の下地材１６ａ及び断熱材３８を取り付けることで第１ユニットを製作するとともに、Ａ２部のスタッド２２ａ，２２ｂに対して他方の下地材１６ｂ及び断熱材３８を取り付けることで第２ユニットを製作し、建築現場において、ランナ２１ａ，２１ｂの設置作業を行うとともに、第１ユニット及び第２ユニットをそれらランナ２１ａ，２１ｂに対して取り付け固定することも可能である。この場合、建築現場における施工作業のより一層の効率化を図ることができる。ちなみに、シート状の遮音材４１は、第１ユニット及び第２ユニットの一方の設置作業を行った後、他方の設置作業を行う前に、取り付けられた方のユニットに対して取り付けるとよい。
【００６１】
（２）上記実施形態では、隣り合う各組のスタッド２２ａ，２２ｂは、ウェブ３１同士を突き合わせて配設されているが、これを変更し、フランジ３２同士を突き合わせて配設されていてもよい。つまり、隣り合う各組境界部のスタッド２２ａ，２２ｂを、間仕切壁１０の厚み方向に並べて配置する。かかる構成においても、それら各スタッド２２ａ，２２ｂ（この場合はフランジ３２同士）を互いに離間させることにより、間仕切壁１０に防音効果及び防振効果を付与することができる。また、本構成では、間仕切壁１０の厚み方向にスタッド２２ａ，２２ｂが並ぶため、隣り合う各組のスタッド２２ａ，２２ｂにおいて断熱材３８の端部が前記厚み方向に重なる。したがって、間仕切壁１０の断熱性能を高めることが可能となる。
【００６２】
なお、間仕切壁１０の厚み方向にスタッド２２ａ，２２ｂが並んでいる場合、スタッド２２ａ，２２ｂのスタッド幅Ｗ２を小さくするとよい。これにより、間仕切壁１０の厚みが過剰に大きくなることを抑制できる。
【００６３】
（３）上記実施形態では、対向する一組の縦材（スタッド２２ａ，２２ｂ）により断熱材の両端を保持する構成としたが、これを変更し、対向する一組の横材により断熱材の上下両端を保持する構成としてもよい。この場合でも、スタッド２２ａ，２２ｂと同様に、対向する一組の横材が断熱材３８の両端を保持し、隣り合う各組の横材のうちその境界部の２つの横材が異なる下地材１６側に片寄って配置されていればよい。ただし、この場合、断熱材３８は、その厚み方向に撓むとその上端が横材の溝部から離脱しやすくなってしまう。したがって、横材の間に縦材が複数設けられている構成とすることが好ましい。
【００６４】
（４）スタッド２２は、リップ３３無しの軽溝形鋼として形成されていてもよい。要は、スタッド２２が少なくとも一側面に長手方向に延びる溝部を有している長尺材であり、そのスタッド溝３４に断熱材３８の両端が保持される構成であればよい。
【００６５】
（５）背中合わせのスタッド２２ａ，２２ｂの間の隙間に、遮音材４１に代えて又は加えて断熱材が取り付けられていてもよい。この場合、その隙間に対しても断熱効果を付与することができる。したがって、間仕切壁１０の断熱性能をより一層高めることができる。
【００６６】
（６）防音効果や防振効果の高い壁構造を得つつ、構築時の作業性を向上させることができる構成を、スチールハウスにおいて構造体としての間仕切壁１０に適用したが、この構成を、非構造体としての壁や、外壁、集合住宅等において隣接する住戸間を仕切る界壁などに適用してもよい。
【図面の簡単な説明】
【００６７】
【図１】本実施形態における間仕切壁の構成を示す図。
【図２】図１（ｂ）のＡ−Ａ線断面図。
【図３】間仕切壁を構築する手順について説明するための説明図。
【図４】別の間仕切壁の構成を示す図。
【符号の説明】
【００６８】
１０…壁構造を有する間仕切壁、２２…長尺材としてのスタッド、１６…壁面材としての下地材、３３…溝部としてのスタッド溝、３８…断熱材、４１…隙間埋め部材としての遮音材。
【図１】
2010101052.tif 000003
【図２】
2010101052.tif 000004
【図３】
2010101052.tif 000005
【図４】
2010101052.tif 000006